(57)【要約】      （修正有）【課題】ヒータによる熱がエンドレスベルトの端部から漏れ出してしまうことを抑制できる定着装置、および、それを備える画像形成装置を提供すること。【解決手段】定着装置に、エンドレスベルト７６と、エンドレスベルト７６の内面に接触する加熱板７５と、エンドレスベルト７６の内側を通って延びる反射板７３と、反射板７３と加熱板７５との間に配置され、左右方向に延びるヒータ７４と、ステイカバーと、ステイカバーとの間でヒータ７４の右端部を保持する保持部９１、および、加熱板７５と左右方向に沿って並ぶ位置まで延びる延出部９２を有する規制フレーム９０と、を備える。【選択図】図９
2016206345.tif 000002
【特許請求の範囲】
【請求項１】
エンドレスベルトと、
前記エンドレスベルトの内面に接触するニップ部材と、
前記エンドレスベルトの内側を通って延びる反射板と、
前記反射板と前記ニップ部材との間に配置され、長手方向に延びるヒータと、
第１フレームと、
前記第１フレームとの間で前記ヒータの前記長手方向における一端部を保持する保持部と、少なくとも前記ニップ部材と前記長手方向に沿って並ぶ位置まで延びる延出部と、を有する第２フレームと、を備えることを特徴とする、定着装置。
【請求項２】
前記延出部は、さらに、前記ニップ部材を越えて延びることを特徴とする、請求項１に記載の定着装置。
【請求項３】
前記延出部は、前記保持部の前記ニップ部材に最も近い端部から延出することを特徴とする、請求項１または請求項２に記載の定着装置。
【請求項４】
前記第２フレームは、前記ニップ部材と間隔を隔てて配置されることを特徴とする、請求項１〜請求項３のいずれか一項に記載の定着装置。
【請求項５】
第１端面と、前記第１端面と空間を隔てて配置される第２端面とを有し、前記第１端面と前記第２端面との間で前記第１フレームを所定の移動方向に移動可能に支持する第３フレームを、さらに備え、
前記延出部は、前記長手方向および前記第１フレームの移動方向の両方向と直交する直交方向において、前記第１端面を越えて広がることを特徴とする、請求項１〜請求項４のいずれか一項に記載の定着装置。
【請求項６】
前記延出部は、前記直交方向において、前記第２端面を越えて広がることを特徴とする、請求項５に記載の定着装置。
【請求項７】
前記延出部は、前記第３フレームに対して前記ニップ部材とは反対側に配置されることを特徴とする、請求項５または請求項６に記載の定着装置。
【請求項８】
前記エンドレスベルトの内側を通って延び、前記ニップ部材を支持するステイをさらに備え、
前記第２フレームは、前記第１フレームに固定され、
前記第１フレームは、前記エンドレスベルトの内側において前記ステイに沿って延び、前記ステイに前記長手方向において異なる複数箇所で固定されることを特徴とする、請求項１〜請求項７のいずれか一項に記載の定着装置。
【請求項９】
請求項１〜請求項８のいずれか一項に記載の定着装置と、
電装基板と、
前記電装基板と前記定着装置との間に配置される壁と、を備え、
前記壁は、前記長手方向に沿って前記第２フレームと並び、
前記第２フレームは、前記長手方向と直交する方向において、前記ヒータの前記長手方向における一端部と並ぶことを特徴とする、画像形成装置。
【請求項１０】
前記壁は、前記定着装置と係合し、前記定着装置を位置決めする位置決め部を備えることを特徴とする、請求項９に記載の画像形成装置。
【発明の詳細な説明】
【技術分野】
【０００１】
本発明は、電子写真方式が採用される画像形成装置、および、それに装備される定着装置に関する。
【背景技術】
【０００２】
従来より、加圧ローラと、加圧ローラに圧接するように配置される定着ベルトとを備える定着装置が知られている。
【０００３】
このような定着装置として、無端状となった定着ベルトと、定着ベルトに圧接される加圧ローラと、定着ベルトの内周面に当接され、加圧ローラとの間に定着ベルトを挟持する押圧パッドと、定着ベルトの内側で押圧パッドを背面側から加熱するハロゲンランプとを備える定着装置が提案されている（例えば、特許文献１参照）。
【０００４】
そのような定着装置では、定着ベルトおよび加圧ローラが、トナー像が転写された記録紙を、それらの間を通過するときに、加熱および加圧して、トナー像を記録紙に定着する。
【先行技術文献】
【特許文献】
【０００５】
【特許文献１】特開２００６−４７７６９号公報
【発明の概要】
【発明が解決しようとする課題】
【０００６】
しかるに、特許文献１に記載の定着装置では、定着ベルトが筒形状を有しており、定着ベルト内において、ハロゲンランプと押圧パッドとが間隔を空けて配置されている。そのため、ハロゲンランプによる熱が、ハロゲンランプと押圧パッドとの間の空間を介して、定着ベルトの端部から漏れ出してしまう場合がある。この場合、定着装置の温度が低下して、トナー像の定着不良が生じるという不具合がある。
【０００７】
そこで、本発明の目的は、ヒータによる熱がエンドレスベルトの端部から漏れ出すことを抑制できる定着装置、および、それを備える画像形成装置を提供することにある。
【課題を解決するための手段】
【０００８】
（１）本発明の定着装置は、エンドレスベルトと、エンドレスベルトの内面に接触するニップ部材と、エンドレスベルトの内側を通って延びる反射板と、反射板とニップ部材との間に配置され、長手方向に延びるヒータと、第１フレームと、第１フレームとの間でヒータの長手方向における一端部を保持する保持部と、少なくともニップ部材と長手方向に沿って並ぶ位置まで延びる延出部と、を有する第２フレームと、を備えることを特徴としている。
【０００９】
このような構成によれば、第２フレームの保持部が、第１フレームとの間でヒータの長手方向における一端部を保持しているので、第２フレームの延出部と、ヒータとの相対配置を一定に維持することができる。
【００１０】
そして、第２フレームの延出部が、少なくともニップ部材と長手方向に沿って並ぶ位置まで延びているので、ヒータの熱が、ヒータとニップ部材と間から、長手方向に漏れ出すことを安定して抑制できる。そのため、定着装置の動作時において、定着装置の温度が低下することを抑制できる。
【発明の効果】
【００１１】
本発明の定着装置および画像形成装置では、ヒータによる熱がエンドレスベルトの端部から漏れ出してしまうことを抑制できる。
【図面の簡単な説明】
【００１２】
【図１】図１は、本発明の定着装置の一実施形態が搭載されるプリンタの中央断面図である。
【図２】図２は、図１に示す定着装置を右下方から見た斜視図である。
【図３】図３Ａは、図１に示す定着装置を右下方から見た斜視図であり、上フレームを除いた状態である。図３Ｂは、図１に示す定着装置を右下方から見た斜視図であり、上フレームおよび規制フレームを除いた状態である。
【図４】図４は、図１に示すヒートユニットの分解斜視図である。
【図５】図５Ａは、図４に示す規制フレームを右下方から見た斜視図である。図５Ｂは、図５Ａに示す規制フレームを右前方から見た斜視図である。図５Ｃは、図５Ａに示す規制フレームを左上方から見た斜視図である。
【図６】図６は、図２に示す定着装置の背断面図である。
【図７】図７は、図６に示す定着装置の側断面図である。
【図８】図８は、図１に示す右側壁のサイドフレームを左後方から見た斜視図である。
【図９】図９は、図７に示すヒートユニットの右端部の背断面図である。
【発明を実施するための形態】
【００１３】
画像形成装置の一例としてのプリンタ１は、図１に示すように、電子写真方式のモノクロプリンタである。プリンタ１は、開口部６を有する本体ケーシング２と、プロセスカートリッジ３と、スキャナユニット４と、定着装置５とを備えている。
【００１４】
本体ケーシング２は、略ボックス形状を有している。本体ケーシング２は、フロントカバー７と、給紙トレイ８と、排紙トレイ９とを備えている。
【００１５】
開口部６は、本体ケーシング２の前端部に配置されている。開口部６は、プロセスカートリッジ３の通過を許容するように、本体ケーシング２の内外を前後方向に連通している。
【００１６】
フロントカバー７は、本体ケーシング２の前端部に配置されている。フロントカバー７は、側面視略Ｌ字の板形状を有している。フロントカバー７は、その下端部を支点として本体ケーシング２の前壁に揺動可能に支持されている。フロントカバー７は、開口部６を開放または閉鎖するように構成されている。
【００１７】
給紙トレイ８は、本体ケーシング２の底部に配置されている。給紙トレイ８は、用紙Ｐを収容するように構成されている。
【００１８】
排紙トレイ９は、本体ケーシング２の上壁に配置されている。排紙トレイ９は、用紙Ｐが載置されるように、本体ケーシング２の上面から下方へ凹んでいる。
【００１９】
プロセスカートリッジ３は、本体ケーシング２の上下方向略中央部に収容されている。プロセスカートリッジ３は、開口部６を介して本体ケーシング２に対して装着または離脱するように構成されている。プロセスカートリッジ３は、ドラムカートリッジ１０と、現像カートリッジ１１とを備えている。
【００２０】
ドラムカートリッジ１０は、感光ドラム１２と、スコロトロン型帯電器１３と、転写ローラ１４とを備えている。
【００２１】
感光ドラム１２は、ドラムカートリッジ１０の後端部に回転可能に支持されている。感光ドラム１２は、左右方向に延びる略円筒形状を有している。
【００２２】
スコロトロン型帯電器１３は、感光ドラム１２の後方において、感光ドラム１２と間隔を隔てて配置されている。
【００２３】
転写ローラ１４は、感光ドラム１２の下方に配置されている。転写ローラ１４は、感光ドラム１２の下端部と接触している。
【００２４】
現像カートリッジ１１は、感光ドラム１２の前方において、ドラムカートリッジ１０に装着されている。現像カートリッジ１１は、現像ローラ１５と、供給ローラ１６と、層厚規制ブレード１７と、トナー収容部１８と、アジテータ１９とを備えている。
【００２５】
現像ローラ１５は、現像カートリッジ１１の後端部に回転可能に支持されている。現像ローラ１５は、左右方向に延びる略円柱形状を有している。現像ローラ１５は、感光ドラム１２の前端部に接触している。
【００２６】
供給ローラ１６は、現像ローラ１５の前下方に配置されている。供給ローラ１６は、現像カートリッジ１１に回転可能に支持されている。供給ローラ１６は、左右方向に延びる略円柱形状を有している。供給ローラ１６は、現像ローラ１５の前下端部に接触している。
【００２７】
層厚規制ブレード１７は、現像ローラ１５の前上方に配置されている。層厚規制ブレード１７は、現像ローラ１５の前端部に接触している。
【００２８】
トナー収容部１８は、供給ローラ１６および層厚規制ブレード１７の前方に配置されている。トナー収容部１８は、トナーを収容するように構成されている。
【００２９】
アジテータ１９は、トナー収容部１８内において、回転可能に支持されている。
【００３０】
スキャナユニット４は、プロセスカートリッジ３の上方に配置されている。スキャナユニット４は、感光ドラム１２に向けて画像データに基づくレーザービームを出射するように構成されている。
【００３１】
定着装置５は、プロセスカートリッジ３の後方に間隔を隔てて配置されている。定着装置５は、ヒートユニット２２と、加圧ローラ２１とを備えている。
【００３２】
ヒートユニット２２は、定着装置５の上方部分に配置されている。
【００３３】
加圧ローラ２１は、ヒートユニット２２の下方に配置されている。加圧ローラ２１は、ヒートユニット２２の下端部に接触している。
【００３４】
プリンタ１が画像形成動作を開始すると、スコロトロン型帯電器１３は、感光ドラム１２の表面を一様に帯電する。スキャナユニット４は、画像データに基づいて感光ドラム１２の表面を露光する。これにより、画像データに基づく静電潜像が、感光ドラム１２の表面に形成される。
【００３５】
また、アジテータ１９は、トナー収容部１８内のトナーを撹拌して、供給ローラ１６に供給する。供給ローラ１６は、アジテータ１９によって供給されたトナーを現像ローラ１５に供給する。このとき、トナーは、現像ローラ１５と供給ローラ１６との間で正極性に摩擦帯電され、現像ローラ１５に担持される。層厚規制ブレード１７は、現像ローラ１５に担持されたトナーの層厚を一定厚さに規制する。
【００３６】
そして、現像ローラ１５に担持されたトナーは、感光ドラム１２表面の静電潜像に供給される。これにより、トナー像が、感光ドラム１２の表面に担持される。
【００３７】
用紙Ｐは、給紙トレイ８から、各種ローラの回転により、所定のタイミングで１枚ずつ、感光ドラム１２と転写ローラ１４との間に給紙される。感光ドラム１２表面のトナー像は、用紙Ｐが感光ドラム１２と転写ローラ１４との間を通過するときに、用紙Ｐに転写される。
【００３８】
次いで、用紙Ｐは、詳しくは後述するが、ヒートユニット２２と加圧ローラ２１との間を通過し、用紙Ｐ上のトナー像が、用紙Ｐに熱定着される。その後、用紙Ｐは、排紙トレイ９に配置される。
【００３９】
定着装置５は、図６に示すように、フレーム３１と、加圧ローラ２１と、ヒートユニット２２とを備えている。
【００４０】
フレーム３１は、樹脂材料からなり、左右方向に延びる略ボックス形状を有している。フレーム３１は、第３フレームの一例としての下フレーム３９と、上フレーム３８とを備えている。
【００４１】
下フレーム３９は、図２および図６に示すように、フレーム３１の下部に配置されている。下フレーム３９は、第１凹部４０を有する第１側壁４１と、第２凹部５０を有する第２側壁４２と、底壁４３と、前壁４４と、後壁４５とを一体に備えている。
【００４２】
第１側壁４１は、図３Ａおよび図３Ｂに示すように、下フレーム３９の右端部に配置されている。第１側壁４１は、側面視略矩形の板形状を有している。第１側壁４１は、第１係合部４６と、第２係合部４７とを備えている。
【００４３】
第１凹部４０は、第１側壁４１の上端の前後方向中央部から下方に向かって凹んでいる。第１凹部４０は、上方が開放された側面視略Ｕ字状を有している。第１凹部４０の下端は、第１側壁４１の上下方向中央部に位置している。
【００４４】
詳しくは、第１凹部４０は、図３Ｂに示すように、第１端面の一例としての前面４０Ａと、第２端面の一例としての後面４０Ｂとを有している。
【００４５】
前面４０Ａは、第１凹部４０の前面であって、上下方向に延びる背面視略矩形形状を有している。後面４０Ｂは、第１凹部４０の後面であって、前面４０Ａに対して後方に間隔を隔てて向かい合っている。後面４０Ｂは、上下方向に延びる正面視略矩形形状を有している。
【００４６】
第１係合部４６は、第１側壁４１の右面の前上端部に配置されている。第１係合部４６は、略角筒形状を有しており、第１側壁４１の右面から右方に向かって突出している。第１係合部４６は、左右方向から見たときに、前上方と後下方とを結ぶ方向に延びている。
【００４７】
第２係合部４７は、第１係合部４６の後下方に位置しており、第１側壁４１の下端部の前後方向略中央に配置されている。第２係合部４７は、略角筒形状を有しており、第１側壁４１の右面から右方に向かって突出している。第２係合部４７は、左右方向に見たときに、前上方と後下方とを結ぶ方向に延びている。
【００４８】
第２側壁４２は、図６に示すように、下フレーム３９の左端部に配置されている。第２側壁４２は、側面視略矩形の板形状を有している。第２側壁４２は、第３係合部５１を備えている。
【００４９】
第２凹部５０は、第２側壁４２の上端の前後方向中央部から下方に向かって凹んでいる。第２凹部５０は、上方が開放された側面視略Ｕ字状を有している。第２凹部５０の下端は、第２側壁４２の上下方向中央部に位置している。また、第２凹部５０は、左右方向から見て、第１凹部４０と一致する。つまり、第２凹部５０の前後方向の寸法は、第１凹部４０の前後方向の寸法と同じである。
【００５０】
第３係合部５１は、第２側壁４２の下端部に配置されている。第３係合部５１は、略角筒形状を有しており、第２側壁４２の右面から右方に向かって突出している。
【００５１】
底壁４３は、第１側壁４１の下端部と、第２側壁４２の下端部との間に架設されている。底壁４３は、左右方方向に延びる底面視略矩形の板形状を有している。
【００５２】
前壁４４は、図２に示すように、第１側壁４１の前下端部と、第２側壁の前下端部との間に架設されている。前壁４４の下端部は、底壁４３の前端部に接続されている。
【００５３】
後壁４５は、第１側壁４１の後下端部と、第２側壁の後下端部との間に架設されている。後壁４５の下端部は、底壁４３の後端部に接続されている。
【００５４】
上フレーム３８は、図２および図６に示すように、下方に向かって開放される略ボックス形状を有している。上フレーム３８は、下フレーム３９の上方に配置されている。
【００５５】
加圧ローラ２１は、図６に示すように、シャフト６１と、ローラ部６２と、定着ギア６３とを備えている。
【００５６】
シャフト６１は、金属材料からなり、左右方向に延びる略円柱形状を有している。シャフト６１は、大径部６４と、２つの小径部６５とを備えている。
【００５７】
大径部６４は、左右方向に延びる略円柱形状を有している。
【００５８】
２つの小径部６５は、シャフト６１の左右両端部である。２つの小径部６５の軸線は、互いに一致しており、また、大径部６４の軸線と一致している。小径部６５の直径は、大径部６４の直径よりも小さい。
【００５９】
右方の小径部６５は、大径部６４の右面の中央部から右方に突出しており、第１側壁４１の下方部分に回転可能に支持されている。左方の小径部６５は、大径部６４の左面の中央部から左方に突出しており、第２側壁４２の下方部分に回転可能に支持されている。また、左方の小径部６５は、第２側壁４２よりも左方に突出している。
【００６０】
ローラ部６２は、樹脂材料からなり、シャフト６１の大径部６４の周面を被覆している。ローラ部６２は、左右方向に延びる略円筒形状を有している。そして、ローラ部６２は、第１側壁４１と第２側壁４２との左右方向の間に配置されている。
【００６１】
定着ギア６３は、左右方向に厚みを有する略円筒形状を有している。定着ギア６３は、その周面すべてにわたってギア歯を有している。定着ギア６３は、第２側壁４２よりも左方に位置しており、左方の小径部６５の左端部に相対回転不能に取り付けられている。また、定着ギア６３は、左右方向において、第２側壁４２の第２凹部５０の下方部分と並んでおり、左右方向から見て、第２側壁４２の第２凹部５０の下方部分と重なっている。
【００６２】
ヒートユニット２２は、加圧ローラ２１の上方に配置されている。ヒートユニット２２は、図４に示すように、ステイ７２と、第１フレームの一例としてのステイカバー７１と、反射板７３と、ヒータ７４と、ニップ部材の一例としての加熱板７５と、エンドレスベルト７６（図１参照）と、第２フレームの一例としての規制フレーム９０とを備えている。
【００６３】
ステイ７２は、金属材料からなる。ステイ７２は、開口７２Ｂを有するステイ本体７２Ａと、ねじ穴７２Ｄを有する固定部７２Ｃと、突起７２Ｅと、第１鉤状部７２Ｆと、第２鉤状部７２Ｇとを一体に備えている。
【００６４】
ステイ本体７２Ａは、左右方向に延びており、下端部が開放される略角筒形状を有している。開口７２Ｂは、ステイ本体７２Ａの前壁において、左右方向に間隔を空けて複数（２つ）配置されている。開口７２Ｂは、ステイ本体７２Ａの前壁を前後方向に貫通している。
【００６５】
固定部７２Ｃは、ステイ本体７２Ａの２つの開口７２Ｂに対応して、左右方向に間隔を空けて複数（２つ）配置されている。固定部７２Ｃは、開口７２Ｂの上端縁から連続して、後方に向かって延びている。固定部７２Ｃは、平面視略矩形状を有している。
【００６６】
ねじ穴７２Ｄは、固定部７２Ｃの略中央に配置されている。ねじ穴７２Ｄは、平面視略円形形状を有しており、固定部７２Ｃを上下方向に貫通している。
【００６７】
突起７２Ｅは、ステイ本体７２Ａの前壁の右下端部に配置されている。突起７２Ｅは、正面視略矩形形状を有し、ステイ本体７２Ａの前壁の右下端部から下方に向かって突出している。
【００６８】
第１鉤状部７２Ｆは、ステイ本体７２Ａの後壁の右下端部に配置されている。第１鉤状部７２Ｆは、背面視略Ｌ字形状を有し、ステイ本体７２Ａの後壁の右下端部から下方に向かって延びた後、左方に向かって屈曲している。
【００６９】
第２鉤状部７２Ｇは、ステイ本体７２Ａの左下端部において、前後方向に間隔を空けて２つ配置されており、ステイ本体７２Ａの前壁の左下端部、および、ステイ本体７２Ａの後壁の左下端部のそれぞれに１つずつ配置されている。後方の第２鉤状部７２Ｇは、背面視略Ｌ字形状を有し、ステイ本体７２Ａの後壁の左下端部から下方に向かって延びた後、右方に向かって屈曲している。なお、前方の第２鉤状部７２Ｇは、後方の第２鉤状部７２Ｇと同様の構成であるため、その説明を省略する。
【００７０】
ステイカバー７１は、ステイ７２の上方に配置されており、左右方向に延びている。つまり、ステイカバー７１は、ステイ７２に沿って延びている。ステイカバー７１は、ねじ穴７９Ａを有する上カバー７９と、下カバー８０とを備えている。
【００７１】
上カバー７９は、耐熱性の樹脂材料からなる。上カバー７９は、下方に向かって開放される側面視略Ｕ字形状を有し、左右方向に延びている。
【００７２】
ねじ穴７９Ａは、複数（２つ）の固定部７２Ｃに対応して、上カバー７９の上壁に左右方向に間隔を空けて複数（２つ）配置されている。ねじ穴７９Ａは、平面視略円形形状を有しており、上カバー７９の上壁を上下方向に貫通している。
【００７３】
下カバー８０は、上カバー７９の下方に配置されており、耐熱性の樹脂材料からなる。下カバー８０は、開口７７Ａを有するカバー本体７７と、ねじ穴８１Ａを有する固定部８１と、第１支持部７８と、第２支持部８２（図６参照）とを一体に備えている。
【００７４】
カバー本体７７は、下端部が開放された略ボックス形状を有している。カバー本体７７の左右方向の寸法は、上カバー７９の左右方向の寸法よりも大きい。カバー本体７７の前後方向の寸法は、第１凹部４０の前後方向の寸法と略同じである。
【００７５】
開口７７Ａは、カバー本体７７の前壁において、左右方向に間隔を空けて２つ配置されている。開口７７Ａは、カバー本体７７の前壁を前後方向に貫通している。
【００７６】
固定部８１は、２つの開口７７Ａのうち、左方の開口７７Ａの上端縁から連続して、後方に向かって延びている。固定部８１は、平面視略矩形状を有している。
【００７７】
ねじ穴８１Ａは、固定部８１の略中央に位置している。ねじ穴８１Ａは、平面視略円形形状を有しており、固定部８１を上下方向に貫通している。
【００７８】
第１支持部７８は、カバー本体７７の右壁の右面に位置している。第１支持部７８は、図３Ｂおよび図４に示すように、ねじ穴７８Ｂを有する鍔部７８Ａと、螺合部７８Ｃと、筒部７８Ｄと、ボス７８Ｅとを備えている。
【００７９】
鍔部７８Ａは、カバー本体７７の右壁の下端部における前方部分から、右方に突出している。鍔部７８Ａは、前後方向に延びる平面視略矩形の板形状を有している。
【００８０】
ねじ穴７８Ｂは、鍔部７８Ａの後方部分に位置している。ねじ穴７８Ｂは、底面視略円形形状を有しており、鍔部７８Ａを上下方向に貫通している。
【００８１】
螺合部７８Ｃは、略円筒形状を有しており、鍔部７８Ａの上面において、ねじ穴７８Ｂの周縁から連続して上方に向かって延びている。螺合部７８Ｃの上端部は、閉鎖されている。
【００８２】
筒部７８Ｄは、鍔部７８Ａの下面の後方部分に配置されている。筒部７８Ｄは、略円筒形状を有しており、鍔部７８Ａの下面から下方に向かって突出している。
【００８３】
ボス７８Ｅは、鍔部７８Ａの下面の前方部分において、ねじ穴７８Ｂを挟むように、前後方向に間隔を空けて複数（２つ）配置されている。ボス７８Ｅは、略円柱形状を有しており、鍔部７８Ａの下面から下方に向かって突出している。
【００８４】
第２支持部８２は、図６に示すように、カバー本体７７の左壁の左面に配置されている。第２支持部８２は、第１支持部７８と左右の向きが反対であるが、第１支持部７８と同様の構成を有している。そのため、第２支持部８２の説明を省略する。なお、第２支持部８２は、ねじ穴を有する鍔部と、筒部と、突出部とを備えている。
【００８５】
そして、下カバー８０は、図４に示すように、カバー本体７７の左右両端部が上カバー７９の左右両端部から外側に突出するように、上カバー７９内に配置されている。また、固定部８１のねじ穴８１Ａは、上カバー７９の左方のねじ穴７９Ａと上下方向に連通している。
【００８６】
また、下カバー８０のカバー本体７７は、ステイ７２を収容している。そして、カバー本体７７の右方の開口７７Ａは、右方の固定部７２Ｃを受け入れている。これにより、上カバー７９の右方のねじ穴７９Ａが、右方の固定部７２Ｃのねじ穴７２Ｄと上下方向に連通している。また、カバー本体７７の左方の開口７７Ａは、左方の固定部７２Ｃを受け入れている。これにより、下カバー８０の固定部８１は、左方の固定部７２Ｃの上方に位置し、固定部８１のねじ穴８１Ａが、左方の固定部７２Ｃのねじ穴７２Ｄと上下方向に連通している。
【００８７】
そして、ステイカバー７１は、図６に示すように、複数（２つ）のねじ１２０により、ステイ７２に固定されている。より詳しくは、上カバー７９は、ねじ１２０が、右方のねじ穴７９Ａを介して、右方の固定部７２Ｃのねじ穴７２Ｄと螺合するとともに、左方のねじ穴７９Ａおよび固定部８１のねじ穴８１Ａを介して、左方の固定部７２Ｃのねじ穴７２Ｄと螺合することにより、ステイ７２に固定されている。下カバー８０は、上記のように、ねじ１２０が、固定部８１のねじ穴８１Ａを介して、左方の固定部７２Ｃのねじ穴７２Ｄと螺合することにより、ステイ７２に固定されている。
【００８８】
つまり、ステイカバー７１は、ステイ７２に左右方向において異なる複数箇所（２箇所）で固定されている。
【００８９】
反射板７３は、図４に示すように、ステイ７２の下方に配置されている。反射板７３は、金属材料からなり、本体部７３Ａと、規制部７３Ｂとを備えている。
【００９０】
本体部７３Ａは、左右方向に延びており、下端部が開放された略角筒形状を有している。本体部７３Ａの内面は、鏡面加工されている。反射板７３の左右方向の寸法は、ステイ本体７２Ａの左右方向の寸法と略同じである。
【００９１】
規制部７３Ｂは、本体部７３Ａの左右方向の端部に１つずつ配置されている。規制部７３Ｂは、下方に向かって開放される側面視略Ｕ字の板形状を有している。そして、規制部７３Ｂは、規制部７３Ｂの上端部が、本体部７３Ａの上壁の左右方向端部と接続されることにより、本体部７３Ａに支持されている。
【００９２】
そして、反射板７３は、図１に示すように、ステイ７２内に配置されている。
【００９３】
ヒータ７４は、図４に示すように、反射板７３の下方に配置されている。ヒータ７４は、ヒータ本体８３と、２つの角柱部８４と、第１接続部８５と、第２接続部８６とを備えている。
【００９４】
ヒータ本体８３は、左右方向に延びる略円柱形状を有している。
【００９５】
２つの角柱部８４は、ヒータ本体８３を左右方向に挟むように、左右方向に互いに間隔を空けて配置されている。角柱部８４は、左右方向に延びる略角柱形状を有している。右方の角柱部８４は、ヒータ本体８３の右端部から連続して右方に延び、左方の角柱部８４は、ヒータ本体８３の左端部から連続して左方に延びている。
【００９６】
第１接続部８５は、ヒータ７４の右端部であって、右方の角柱部７４Ｂに対して右方に配置されている。第１接続部８５は、図３Ｂに示すように、ワイヤ８５Ａと、貫通穴８５Ｃを有する挟持部８５Ｂと、導通部８５Ｄとを備えている。
【００９７】
ワイヤ８５Ａは、金属材料からなり、線形状を有している。ワイヤ８５Ａは、右方の角柱部７４Ｂから連続して右方に向かって延びている。
【００９８】
挟持部８５Ｂは、金属材料からなり、底面視略矩形の板形状を有している。挟持部８５Ｂの左端部は、ワイヤ８５Ａの右端部に接続されている。貫通穴８５Ｃは、底面視略楕円形形状を有し、挟持部８５Ｂを上下方向に貫通している。
【００９９】
導通部８５Ｄは、挟持部８５Ｂと一体であって、側面視略矩形の板形状を有している。導通部８５Ｄの前下端部は、挟持部８５Ｂの後端部に接続されている。なお、導通部８５Ｄは、図示しない配線を介して、後述する基板１１０と電気的に接続されている。
【０１００】
第２接続部８６は、図４に示すように、ヒータ７４の左端部であって、左方の角柱部７４Ｂに対して左方に配置されている。第２接続部８６は、第１接続部８５と左右の向きが反対であるが、第１接続部８５と同様の構成を有している。そのため、第２接続部８６の説明を省略する。なお、第２接続部８６は、ワイヤ８６Ａと、貫通穴８６Ｃを有する挟持部８６Ｂと、導通部８６Ｄとを備えている。
【０１０１】
そして、ヒータ７４は、ヒータ本体８３が反射板７３の本体部７３Ａ内に位置するとともに、角柱部８４が規制部７３Ｂ内に受け入れられるように配置されている。これにより、ヒータ７４のヒータ本体８３は、図９に示すように、反射板７３に囲まれており、反射板７３の上壁に対して下方に間隔を空けて配置されている。
【０１０２】
また、第１接続部８５の挟持部８５Ｂは、図３Ｂに示すように、第１支持部７８の鍔部７８Ａの後方部分の下方に配置されており、挟持部８５Ｂの貫通穴８５Ｃは、第１支持部７８の筒部７８Ｄを受け入れている。
【０１０３】
加熱板７５は、図４に示すように、ヒータ７４の下方に配置されている。加熱板７５は、金属材料からなる。加熱板７５は、貫通穴７５Ｂを有する板状部７５Ａと、係止突起７５Ｃと、爪部７５Ｄとを一体に備えている。
【０１０４】
板状部７５Ａは、左右方向に延びる略平板形状を有している。
【０１０５】
貫通穴７５Ｂは、板状部７５Ａの右端部の前方部分に配置されている。貫通穴７５Ｂは、平面視略矩形状を有しており、板状部７５Ａを上下方向に貫通している。
【０１０６】
係止突起７５Ｃは、板状部７５Ａの右後端部に配置されている。係止突起７５Ｃは、平面視略矩形形状を有しており、板状部７５Ａの右後端部から後方に向かって突出している。
【０１０７】
爪部７５Ｄは、板状部７５Ａの左端部に配置されており、前後方向に互いに間隔を空けて配置されている。後方の爪部７５Ｄは、側面視略Ｌ字形状を有しおり、板状部７５Ａの左後端部から連続して、上方に向かって延びた後、後方に向かって屈曲している。なお、前方の爪部７５Ｄは、後方の爪部７５Ｄと前後の向きが反対であるが、同様の構成であるため、その説明を省略する。
【０１０８】
そして、加熱板７５は、ステイ７２に支持されている。詳しくは、加熱板７５の貫通穴７５Ｂが、ステイ７２の突起７２Ｅを受け入れ、係止突起７５Ｃが第１鉤状部７２Ｆと係合し、爪部７５Ｄが第２鉤状部７２Ｇと係合している。
【０１０９】
これによって、加熱板７５の板状部７５Ａは、図９に示すように、ヒータ７４のヒータ本体８３に対して下方に間隔を空けて配置されている。つまり、ヒータ本体８３は、反射板７３の本体部７３Ａの上壁と、加熱板７５の板状部７５Ａとの上下方向の間に配置されている。また、加熱板７５は、第１支持部７８の左下方に間隔を空けて配置されており、第１支持部７８よりも下方に位置している。
【０１１０】
エンドレスベルト７６は、図６に示すように、耐熱性と可撓性とを有する部材であり、左右方向に延びる略円筒形状を有している。エンドレスベルト７６の左右方向の寸法は、下カバー８０の左右方向の寸法よりも小さい。そして、エンドレスベルト７６は、その内周面が加熱板７５の板状部７５Ａの下面に接触するように、ステイカバー７１、ステイ７２、反射板７３、ヒータ７４および加熱板７５の周囲に巻かれている。
【０１１１】
また、下カバー８０の第１支持部７８、ステイ７２の右端部、反射板７３の右端部、ヒータ７４の第１接続部８５、および、加熱板７５の右端部は、エンドレスベルト７６の右端部から右方に突出している。
【０１１２】
また、下カバー８０の第２支持部８２、ステイ７２の左端部、反射板７３の左端部、ヒータ７４の第２接続部８６、および、加熱板７５の左端部は、エンドレスベルト７６の左端部から左方に突出している。
【０１１３】
つまり、ステイカバー７１、ステイ７２、反射板７３、ヒータ７４および加熱板７５は、エンドレスベルト７６の内側を通って左右方向に延びている。
【０１１４】
規制フレーム９０は、図４に示すように、ヒータ７４の第１接続部８５に対して下方に配置されている。規制フレーム９０は、図５Ａ〜図５Ｃに示すように、耐熱性の樹脂材料からなる。規制フレーム９０は、正面視略Ｌ字の板形状を有しており、保持部９１と、突出リブ９６と、延出部９２とを一体に備えている。
【０１１５】
保持部９１は、側面視略クランクの板形状を有し、ねじ穴９３Ａおよび貫通穴９３Ｂを有するねじ止め部分９３と、段差部分９４と、挟持部分９５とを備えている。
【０１１６】
ねじ止め部分９３は、保持部９１の前方部分である。ねじ止め部分９３は、前後方向に延びる平面視略矩形形状を有している。
【０１１７】
ねじ穴９３Ａは、第１支持部７８のねじ穴７８Ｂに対応しており、ねじ止め部分９３の前後方向略中央部分に配置されている。ねじ穴９３Ａは、平面視略円形形状を有しており、ねじ止め部分９３を上下方向に貫通している。
【０１１８】
貫通穴９３Ｂは、第１支持部７８の複数（２つ）のボス７８Ｅに対応しており、ねじ穴９３Ａを挟むように、前後方向に間隔を空けて複数（２つ）配置されている。貫通穴９３Ｂは、平面視略円形形状を有しており、ねじ止め部分９３を上下方向に貫通している。
【０１１９】
段差部分９４は、保持部９１の前後方向略中央部分である。段差部分９４は、左右方向に延びる背面視略矩形状を有しており、ねじ止め部分９３の後端部から連続して、下方に向かって突出している。
【０１２０】
挟持部分９５は、保持部９１の後方部分であって、前後方向に延びる平面視略矩形形状を有している。挟持部分９５は、段差部分９４の下端部から連続して、後方に向かって延びている。
【０１２１】
突出リブ９６は、挟持部分９５の上面において、段差部分９４に対して後方に間隔を空けて配置されている。突出リブ９６は、背面視略矩形の板形状を有しており、挟持部分９５から上方に向かって突出している。
【０１２２】
延出部９２は、保持部９１の下方に配置されており、前後方向に延びる側面視略矩形の板形状を有している。延出部９２は、保持部９１の左端部から下方に向かって延びている。
【０１２３】
そして、規制フレーム９０は、図３Ａ〜図４に示すように、ねじ１２１により、下カバー８０の第１支持部７８に固定されている。より詳しくは、規制フレーム９０は、ねじ１２０が、ねじ止め部分９３のねじ穴９３Ａを介して、第１支持部７８のねじ穴７８Ｂおよび螺合部７８Ｃと螺合することにより、第１支持部７８に固定されている。また、ねじ止め部分９３の貫通穴９３Ｂは、対応するボス７８Ｅを受け入れている。
【０１２４】
これによって、保持部９１の挟持部分９５は、図９に示すように、第１支持部７８の鍔部７８Ａの後方部分との間に、第１接続部８５の挟持部８５Ｂを上下方向に挟み込み保持している。つまり、保持部９１の挟持部分９５は、上下方向において、第１接続部８５の挟持部８５Ｂと並んでおり、挟持部８５Ｂに対して、第１支持部７８の反対側に配置されている。そのため、規制フレーム９０は、第１支持部７８よりも加熱板７５に近い。
【０１２５】
また、段差部分９４および突出リブ９６は、図３Ａ、図３Ｂおよび図５Ｃに示すように、第１接続部８５の挟持部８５Ｂを前後方向に挟んでいる。
【０１２６】
また、保持部９１は、図９に示すように、加熱板７５よりも上方に位置しており、延出部９２は、加熱板７５に対して右方に間隔を空けて配置されている。つまり、延出部９２は、左右方向から見て、加熱板７５と重なっており、挟持部分９５と左右方向に沿って並ぶ位置まで延びている。
【０１２７】
より詳しくは、延出部９２は、保持部９１の左端部、つまり、保持部９１の加熱板７５に最も近い端部から下方に向かって延出しており、加熱板７５を超えて、加熱板７５よりも下方に向かって延びている。これによって、延出部９２の上方部分は、ヒータ７４と加熱板７５との間の空間Ｓと、左右方向に並んでいる。
【０１２８】
このようなヒートユニット２２は、図３Ａおよび図３Ｂに示すように、ステイ７２の右端部および下カバー８０の右端部が、第１側壁４１の第１凹部４０に受け入れられ、ステイ７２の左端部および下カバー８０の左端部が、第２側壁４２の第２凹部５０（図６参照）に受け入れられることにより、下フレーム３９に、上下方向にスライド移動可能な状態で支持されている。つまり、下フレーム３９は、第１凹部４０の前面４０Ａと後面４０Ｂとの間で、ヒートユニット２２を上下方向に移動可能に支持している。
【０１２９】
また、ヒートユニット２２が下フレーム３９に組み付けられた状態において、延出部９２は、図９に示すように、下フレーム３９の第１側壁４１よりも、右方、つまり、加熱板７５の反対側に配置されている。また、延出部９２は、図７に示すように、第１凹部４０の前面４０Ａよりも前方に延びており、第１凹部４０の後面４０Ｂよりも後方に延びている。つまり、延出部９２は、前後方向において、第１凹部４０の前面４０Ａを超えて前方に広がり、第１凹部４０の後面４０Ｂよりも後方に広がっている。
【０１３０】
なお、図６に示すように、上フレーム３８は、ヒートユニット２２を上方から覆っており、エンドレスベルト７６の下端部は、加圧ローラ２１のローラ部６２の上端部に接触している。
【０１３１】
本体ケーシング２は、図１に示すように、右側壁１００と、左側壁（図示せず）とを備えている。
【０１３２】
右側壁１００は、本体ケーシング２の右端部であって、図８に示すように、サイドフレーム１０１と、サイドカバー（図示せず）とを備えている。
【０１３３】
サイドフレーム１０１は、側面視略矩形の板形状を有している。サイドフレーム１０１は、収容部１０２と、位置決め部の一例としての第１係合リブ１０３および第２係合リブ１０４とを備えている。
【０１３４】
収容部１０２は、サイドフレーム１０１の後方部分の上下方向略中央に配置されている。収容部１０２は、サイドフレーム１０１の左面から左方に向かって突出しており、図９に示すように、右方に向かって開放される略ボックス形状を有している。収容部１０２は、壁の一例としての収容部側壁１０２Ａを備えている。
【０１３５】
収容部側壁１０２Ａは、収容部１０２の左側壁であって、鉛直部分１０２Ｂと、傾斜部分１０２Ｃとを備えている。
【０１３６】
鉛直部分１０２Ｂは、収容部側壁１０２Ａの下方部分である。鉛直部分１０２Ｂは、側面視略矩形の板形状を有しており、上下方向に沿って延びている。
【０１３７】
傾斜部分１０２Ｃは、収容部側壁１０２Ａの上方部分である。傾斜部分１０２Ｃは、鉛直部分１０２Ｂの上端部から連続して、上方に向かうにつれて右方に傾斜している。また、傾斜部分１０２Ｃは、図８に示すように、左右方向に延びている。
【０１３８】
第１係合リブ１０３および第２係合リブ１０４は、収容部側壁１０２Ａの左面に配置されている。
【０１３９】
第１係合リブ１０３は、定着装置５の第１係合部４６（図２参照）に対応しており、上リブ１０３Ａと、下リブ１０３Ｂとを備えている。
【０１４０】
上リブ１０３Ａは、傾斜部分１０２Ｃの左面の前上端部に配置されている。上リブ１０３Ａは、前後方向に延びる平面視略矩形の板形状を有しており、傾斜部分１０２Ｃから左方に向かって突出している。
【０１４１】
下リブ１０３Ｂは、上リブ１０３Ａに対して下方に間隔を空けて配置されている。上リブ１０３Ａと下リブ１０３Ｂとの間の間隔は、第１係合部４６（図２参照）の上下方向の寸法と略同じである。下リブ１０３Ｂは、鉛直部分１０２Ｂの左面の前上端部に配置されている。下リブ１０３Ｂは、前後方向に延びる平面視略矩形の板形状を有しており、鉛直部分１０２Ｂから左方に向かって突出している。
【０１４２】
第２係合リブ１０４は、定着装置５の第２係合部４７（図２参照）に対応している。第２係合リブ１０４は、下リブ１０３Ｂに対して後下方に間隔を空けて配置され、鉛直部分１０２Ｂの左面の下端部に配置されている。第２係合リブ１０４は、後方に向かって開放される側面視略Ｕ字形状を有しており、鉛直部分１０２Ｂから左方に突出している。第２係合リブ１０４の上下方向の内寸は、第２係合部４７（図２参照）の上下方向の寸法と略同じである。
【０１４３】
サイドカバー（図示せず）は、サイドフレーム１０１を右方から覆っており、サイドフレーム１０１に対して右方に間隔を空けて配置されている。
【０１４４】
左側壁（図示せず）は、本体ケーシング２の左端部であって、右側壁１００に対して左方に間隔を空けて配置されている。左側壁（図示せず）は、その右面において、第３係合部５１（図６参照）に対応する第３係合リブ（図示せず）を備えている。
【０１４５】
また、プリンタ１は、図９に示すように、サイドフレーム１０１と、サイドカバー（図示せず）との間において、電装基板の一例としての基板１１０を備えている。
【０１４６】
基板１１０は、サイドフレーム１０１の右面に支持されている。基板１１０は、図示しないが、配線を介して、ヒータ７４に電圧を供給するとともに、スコロトロン型帯電器１３、転写ローラ１４、供給ローラ１６および現像ローラ１５に電圧を供給する。また、基板１１０は、電装部品１１０Ａを有している。電装部品１１０Ａは、基板１１０の左面に固定されており、収容部１０２内に収容されている。
【０１４７】
定着装置５は、本体ケーシング２に装着されており、右側壁１００および左側壁（図示せず）に位置決めされている。
【０１４８】
詳しくは、第１側壁４１の第１係合部４６が、上リブ１０３Ａおよび下リブ１０３Ｂの間に挟まれ、第２係合部４７が、第２係合リブ１０４に後方から嵌っている。つまり、第１係合リブ１０３が、第１係合部４６と係合し、第２係合リブ１０４が、第２係合部４７と係合している。また、第２側壁４２の第３係合部５１が、左側壁（図示せず）の第３係合リブ（図示せず）と係合している。
【０１４９】
これによって、定着装置５は、本体ケーシング２に対して位置決めされている。
【０１５０】
定着装置５が本体ケーシング２に対して位置決めされた状態において、延出部９２は、収容部側壁１０２Ａの傾斜部分１０２Ｃに対して左方に間隔を空けて配置される。つまり、収容部側壁１０２Ａの傾斜部分１０２Ｃは、左右方向に沿って、延出部９２と並んでおり、電装部品１１０Ａとヒートユニット２２との間に配置されている。
【０１５１】
定着装置５では、上記した画像形成動作が開始されると、図９に示す基板１１０から、ヒータ７４に電力が供給される。これにより、ヒータ７４が加熱板７５を加熱して、加熱板７５が高温となる。そして、図６に示すように、本体ケーシング２が備えるモータなどの駆動源（図示せず）から、定着ギア６３に駆動力が付与される。これにより、図１に示すように、加圧ローラ２１が左側面視時反計回り方向に回転する。
【０１５２】
そして、加圧ローラ２１の回転に伴って、エンドレスベルト７６が周回移動する。これにより、用紙Ｐが、加圧ローラ２１とヒートユニット２２との間に進入する。このとき、ヒートユニット２２は、用紙Ｐの進入を許容するように、上方に移動する。
【０１５３】
そして、ヒートユニット２２および加圧ローラ２１は、用紙Ｐがヒートユニット２２と加圧ローラ２１との間を通過するときに、用紙Ｐを加熱および加圧する。これにより、用紙Ｐ上のトナー像は、用紙Ｐに熱定着される。
【０１５４】
（１）規制フレーム９０の保持部９１は、図９に示すように、ステイカバー７１の鍔部７８Ａとの間で、ヒータ７４の挟持部８５Ｂを保持している。そのため、規制フレーム９０の延出部９２と、ヒータ７４との相対配置を一定に維持することができる。
【０１５５】
そして、延出部９２が、加熱板７５と左右方向に沿って並ぶ位置まで延びているので、ヒータ７４の熱が、ヒータ７４と加熱板７５と間から、左右方向に漏れ出すことを安定して抑制できる。その結果、定着装置５の動作時において、定着装置５の温度が低下することを抑制できる。
【０１５６】
（２）延出部９２は、図９に示すように、加熱板７５を越えて延びている。そのため、ヒータ７４の熱が、ヒータ７４と加熱板７５と間から、左右方向に漏れ出すことを確実に抑制できる。
【０１５７】
（３）延出部９２は、図９に示すように、保持部９１の加熱板７５に最も近い端部から延出している。そのため、延出部９２を加熱板７５の近傍に確実に配置することができる。その結果、ヒータ７４の熱が、ヒータ７４と加熱板７５と間から、左右方向に漏れ出すことをより一層確実に抑制できる。
【０１５８】
（４）規制フレーム９０は、図９に示すように、加熱板７５と間隔を隔てて配置されている。そのため、規制フレーム９０の材料選択の自由度の向上を図ることができる。
（５）また、下フレーム３９は、図６に示すように、ヒートユニット２２を上下方向に移動可能に支持している。そのため、画像形成動作時において、ヒートユニット２２と加圧ローラ２１との間に、用紙Ｐを円滑に進入させることができる。
【０１５９】
また、延出部９２は、図７に示すように、前後方向において、第１凹部４０の前面４０Ａを越えて広がっている。そのため、ヒータ７４の熱が、延出部９２よりも前方から漏れ出すことを抑制できる。
【０１６０】
（６）延出部９２は、図７に示すように、前後方向において、後面４０Ｂを越えて広がっている。そのため、ヒータ７４の熱が、延出部９２よりも後方から漏れ出すことを抑制できる。
【０１６１】
（７）延出部９２は、図９に示すように、第１側壁４１に対して加熱板７５とは反対側に配置されている。そのため、定着装置５が下フレーム３９を備えていても、延出部９２を、加熱板７５と左右方向に沿って並ぶように確実に配置することができる。
【０１６２】
（８）ステイカバー７１は、図６に示すように、加熱板７５を支持するステイ７２に左右方向において異なる複数箇所で固定されている。そのため、ステイカバー７１をステイ７２に確実に固定することができる。その結果、ステイカバー７１に固定される規制フレーム９０と、ステイ７２に支持される加熱板７５との相対的な位置精度の向上を図ることができる。
【０１６３】
（９）規制フレーム９０は、図９に示すように、収容部側壁１０２Ａの傾斜部分１０２Ｃと、左右方向に沿って並んでいる。そのため、ヒータ７４の熱が、収容部側壁１０２Ａに作用することを抑制でき、ひいては、基板１１０に作用することを抑制できる。そのため、基板１１０が、熱によりダメージを受けることを抑制できる。
【０１６４】
また、ヒータ７４の熱が、収容部側壁１０２Ａに作用すると、収容部側壁１０２Ａが劣化する場合や、平均粒子径が３００ｎｍ以下の微小粒子が飛散する場合がある。
【０１６５】
しかし、上記のように、ヒータ７４の熱が、収容部側壁１０２Ａに作用することが抑制されているので、収容部側壁１０２Ａが劣化すること、および、微小粒子が飛散することを抑制できる。
【０１６６】
（１０）収容部側壁１０２Ａは、図８に示すように、定着装置５を位置決めする第１係合リブ１０３および第２係合リブ１０４を備えている。そのため、定着装置５は、収容部側壁１０２Ａに位置決めされる。
【０１６７】
その結果、ヒータ７４の熱が収容部側壁１０２Ａに作用すると、収容部側壁１０２Ａの熱膨張などにより、定着装置５の位置決め精度が低下してしまう場合がある。
【０１６８】
しかし、規制フレーム９０の延出部９２が、収容部側壁１０２Ａの傾斜部分１０２Ｃと左右方向に沿って並び、ヒータ７４の熱が収容部側壁１０２Ａに作用することを抑制するので、定着装置５の位置決め精度の向上を図ることができる。
【０１６９】
上記の実施形態では、前後方向および上下方向に延びる延出部９２が、左右方向および前後方向に延びる加熱板７５と左右方向に沿って並んでいるが、延出部９２と加熱板７５とが左右方向に並んでいれば、これに限定されない。延出部９２は、前後方向に対して傾斜していてもよく、上下方向に対して傾斜していてもよい。加熱板７５は、左右方向に対して傾斜していてもよく、前後方向に対して傾斜していてもよい。
【０１７０】
なお、左右方向が長手方向の一例であり、上下方が移動方向の一例であり、前後方向が直交方向の一例である。
【符号の説明】
【０１７１】
１        プリンタ
５        定着装置
３９      下フレーム
４０Ａ    前面
４０Ｂ    後面
７１      ステイカバー
７２      ステイ
７３      反射板
７４      ヒータ
７５      加熱板
７６      エンドレスベルト
９０      規制フレーム
９１      保持部
９２      延出部
１０２Ａ  収容部側壁
１０３    第１係合リブ
１０４    第２係合リブ
１１０    基板
【図１】
2016206345.tif 000003
【図２】
2016206345.tif 000004
【図３】
2016206345.tif 000005
【図４】
2016206345.tif 000006
【図５】
2016206345.tif 000007
【図６】
2016206345.tif 000008
【図７】
2016206345.tif 000009
【図８】
2016206345.tif 000010
【図９】
2016206345.tif 000011